(57)【要約】第２の送受信機（１２０）及び第３の送受信機（１３０）にデータ・パケットを送信する第１の送受信機（１１０）を有する通信システム（１００，２００，４００）で用いる方法（１０００）である。少なくとも第２の送受信機（１２０）は、第２の送受信機により受信された一つ以上のデータ・パケット（３００）の受信品質に関する品質値を第１の送受信機（１００）に送信できる（１０１０）。第１の送受信機（１１０）は自身のデータ伝送を修正する（１０１５）ために品質値を用いることができる。第２の送受信機（１２０）は、自身及び第３の送受信機（１３０）の両方を対象とするデータ・パケットをリッスンし、第２の送受信機（１２０）により送信される品質値は一つ以上のこのようなデータ・パケットの受信品質を代表し、受信品質値はこのような取り得る複数の値の一つとして表現される（１０３０）。【選択図】図４
2010521838.tif 000002
【特許請求の範囲】
【請求項１】
複数の送受信機（１１０，１２０，１３０）が存在し得る通信システム（１００，２００，４００）であって、前記システム内の少なくとも第２の送受信機（１２０）及び第３の送受信機（１３０）にデータ・パケットを送信できる第１の送受信機（１１０）を有する通信システム（１００，２００，４００）で用いる方法（１０００）であって、
少なくとも前記第２の送受信機（１２０）が前記受信されたデータ・パケットの表示値を記憶して、前記第２の送受信機により受信された一つ以上のデータ・パケット（３００）の受信品質を代表する品質値を前記第１の送受信機（１００）に送信（１０１０）し、
前記第１の送受信機（１１０）は自身のデータ伝送を修正する（１０１５）ために前記品質値を用いることができ、
前記第２の送受信機（１２０）は、自身及び前記第３の送受信機（１３０）の両方を対象とするデータ・パケットをリッスンし（１０２０）、
前記第２の送受信機（１２０）により送信される前記品質値は一つ以上のこのようなデータ・パケットの前記受信品質を代表し（１０２５）、
前記受信品質値はこのような取り得る複数の値の一つとして表現される（１０３０）
ことを特徴とする方法（１０００）。
【請求項２】
前記第２の送受信機（１２０）は、受信されたデータ・パケットのそれぞれについて一つの品質値を送信する（１０３５）ことを特徴とする請求項１に記載の方法（１０００）。
【請求項３】
前記第２の送受信機（１２０）により送信される前記品質値は、少なくとも一部が前記第２の送受信機を対象とする一つ以上のデータ・パケットの前記受信品質を代表する（１０４０）ことを特徴とする請求項１又は２に記載の方法（１０００）。
【請求項４】
前記第２の送受信機（１２０）は、受信されたメッセージについて前記第２の送受信機におけるチャネル品質に関する値も前記第１の送受信機（１１０）に送信し（１０４５）、
前記第１の送受信機は、自身のデータ伝送を修正するために前記チャネル品質値も用いる
ことを特徴とする請求項１乃至３の何れか１項に記載の方法（１０００）。
【請求項５】
前記第１の送受信機（１１０）はまた、複合パケットとしてデータを送信でき（１０５５）、
前記複合パケットには、前記システム内の一つ以上の前記送受信機を対象とする一つ以上のデータ・パケットが符号化により合成されている
ことを特徴とする請求項１乃至４の何れか１項に記載の方法（１０００）。
【請求項６】
メッセージが前記システム内のどの送受信機を対象とするかを復号が示すように、複合メッセージが符号化されることを特徴とする請求項５に記載の方法（１０００，１０５５）。
【請求項７】
前記符号化はまた、複合パケットに含まれる個々のパケットに重み付け係数を適用することを含むことを特徴とする請求項６に記載の方法（１０００，１０５５）。
【請求項８】
前記第１の送受信機（１００）は、受信した品質値に基づいてデータ・パケットの前記伝送を適応的にスケジューリングすることによって自身のデータ伝送を修正する（１０６０）ことを特徴とする請求項１乃至７の何れか１項に記載の方法（１０００）。
【請求項９】
前記第１の送受信機（１１０）は、前記システムにおける性能測定値を最適化するために、一緒に符号化される前記システム内の個々の送受信機を対象とするデータ・パケットを適応的に選択することによって自身のデータ伝送を修正することを特徴とする請求項６乃至８の何れか１項に記載の方法（１０００）。
【請求項１０】
前記第１の送受信機（１１０）はまた、前記システムにおける性能測定値を最適化するために、前記重み付け係数を選択することによって自身のデータ伝送を修正することを特徴とする請求項７乃至９の何れか１項に記載の方法（１０００）。
【請求項１１】
前記システム内の前記第２の送受信機（１２０）と前記第３の送受信機（１３０）との少なくとも何れかは、前記復号を実行するために、以前に受信された第２のメッセージを用いることによって、受信された第１のメッセージを復号し（１０６５）、
前記第１のメッセージと前記第２のメッセージとの少なくとも一つは複合メッセージである
ことを特徴とする請求項６乃至１１の何れか１項に記載の方法（１０００）。
【請求項１２】
複数の送受信機（１１０，１２０，１３０）が存在し得る通信システム（１００，２００，４００）であって、前記システム内の複数の送受信機にデータ・パケットを送信できる送信機（１１０）を有する通信システム（１００，２００，４００）で用いる送受信機（１２０，８１０）であって、
前記受信されたデータ・パケットの表示値を記憶して、前記送受信機により受信された一つ以上のデータ・パケット（３００）の受信品質を代表する品質値を前記送信機に送信する手段（６１０，６２０）と、
自身及び前記システム内の少なくとも一つの他の相手（１３０）の両方を対象とするデータ・パケットをリッスンする手段と
を備え、
前記送受信機（１２０，８１０）により送信される前記品質値は一つ以上の前記データ・パケットの前記受信品質を代表し、
前記受信品質値はこのような取り得る複数の値の一つとして表現される
ことを特徴とする送受信機（１２０，８１０）。
【請求項１３】
受信されたデータ・パケットのそれぞれについて一つの品質値を送信する請求項１２に記載の送受信機（１２０，８１０）。
【請求項１４】
前記送受信機により送信される前記品質値は、少なくとも一部が前記送受信機を対象とする一つ以上のデータ・パケットの前記受信品質を代表することを特徴とする請求項１２又は１３に記載の送受信機（１２０，８１０）。
【請求項１５】
受信されたメッセージについて前記送受信機におけるチャネル品質に関する値も前記送信機（１１０）に送信する請求項１２乃至１４の何れか１項に記載の送受信機（８１０）。
【請求項１６】
メッセージが前記システム内のどの送受信機を対象とするかを復号が示すように、複合パケットとしてデータを受信及び復号することもでき、
前記複合パケットには、前記システム内の一つ以上の前記送受信機を対象とする一つ以上のデータ・パケットが符号化により合成されている
ことを特徴とする請求項１２乃至１５の何れか１項に記載の送受信機（１２０，８１０）。
【請求項１７】
前記復号を実行するために、以前に受信された第２のメッセージを用いることによって、受信された第１のメッセージを復号でき、
前記第１のメッセージと前記第２のメッセージとの少なくとも一つは複合メッセージである
ことを特徴とする請求項１６に記載の送受信機（１２０，８１０）。
【請求項１８】
ＧＳＭ、ＷＣＤＭＡ、ＣＤＭＡ−２０００、ＬＴＥ、ＬＴＥアドバンスド、８０２．１６（ＷｉＭａｘ）システムのようなセルラ無線システムを対象とするだけでなく、８０２．１１のような例えばＷＬＡＮシステムを対象とするユーザ端末である請求項１２乃至１５の何れか１項に記載の送受信機（１２０，８１０）。
【請求項１９】
複数の受信側送受信機（１２０，１３０）が存在し得る通信システム（１００，２００，４００）で用いる送受信機（１１０，９１０）であって、
前記送受信機（１１０）は、前記システム内の少なくとも第２の受信側送受信機（１２０）及び第３の受信側送受信機（１３０）にデータ・パケットを送信でき、
前記送受信機（１２０）は、前記受信側送受信機により受信された一つ以上のデータ・パケット（３００）の受信品質を代表する品質値を、前記受信側送受信機（１２０，１３０）の少なくとも一つから受信でき、
前記送受信機（１１０）は、自身のデータ伝送を修正する（１０１５）ために前記品質値を用いることができ、
前記受信品質値はこのような取り得る複数の値の一つとして表現され（１０３０）、
前記送受信機はまた、複合パケットとしてデータを送信でき、
前記複合パケットには、前記システム内の一つ以上の前記送受信機を対象とする一つ以上のデータ・パケットが符号化により合成されている
ことを特徴とする送受信機（１１０，９１０）。
【請求項２０】
メッセージが前記システム内のどの送受信機又は送受信機群を対象とするかを復号が示すように、複合メッセージを復号できる送受信機（１１０，９１０）。
【請求項２１】
前記符号化はまた、複合パケットに含まれる個々のパケットに重み付け係数を適用することを含むことを特徴とする請求項２０に記載の送受信機（１１０，９１０）。
【請求項２２】
受信した品質値に基づいてデータ・パケットの前記伝送を適応的にスケジューリングすることによって自身のデータ伝送を修正できる請求項１９乃至２２の何れか１項に記載の送受信機（１１０，９１０）。
【請求項２３】
前記システムにおける性能測定値を最適化するために、一緒に符号化される前記システム内の個々の送受信機を対象とするデータ・パケットを適応的に選択することによって自身のデータ伝送を修正できる請求項１９乃至２２の何れか１項に記載の送受信機（１１０，９１０）。
【請求項２４】
前記システムにおける性能測定値を最適化するために、前記重み付け係数を選択することによって自身のデータ伝送を修正できる請求項２０乃至２３の何れか１項に記載の送受信機（１１０，９１０）。
【請求項２５】
ＧＳＭ、ＷＣＤＭＡ、ＣＤＭＡ−２０００、ＬＴＥ、ＬＴＥアドバンスド、８０２．１６（ＷｉＭａｘ）システムのようなセルラ無線システムを対象とするだけでなく、８０２．１１のような例えばＷＬＡＮシステムを対象とする基地局である請求項２０乃至２４の何れか１項に記載の送受信機（１２０，９１０）。
【発明の詳細な説明】
【技術分野】
【０００１】
本発明は通信システムで用いる方法を開示し、このシステム内には、システム内の少なくとも第１の受信ノード及び第２の受信ノードにデータを送信できる第１の送信ノードが存在する。第１の受信ノード及び第２の受信ノードの少なくとも一つは、受信ノードにおける受信されたデータの受信品質に関して代表する値を第１の送信ノードに送信でき、第１の送信ノードは受信ノードへの自身の伝送を修正するためにこの値を用いることができる。
【背景技術】
【０００２】
本発明は通信システムの分野におけるものであり、特にシステム内の他の複数のノードに送信する情報を有する一つのノードが存在するシステムにおいて、例えば、セル内の複数のユーザと、「基地局」すなわちこれらのユーザとの間のトラフィックを制御するノードとが存在するセルラ無線ネットワークにおける非常に一般的な当然のシナリオである。
【０００３】
通信システムにおける当然の目的は、確実に且つ効率的に情報を転送することである。いわゆる前方誤り訂正（ＦＥＣ）が効率的な通信を得るためによく用いられる一方で、「古典的な」自動反復要求（ＡＲＱ）が信頼性を得るために用いられるかもしれない。
【０００４】
信頼性の観点は受信相手に情報が到達することを保証し、効率性の観点は一般に最小のエネルギー又は電力コストで行われることを保証するだろう。効率性と信頼性との両方の双子の目的を達成するために、基本的なＡＲＱ機能にＦＥＣを組み合わせるハイブリッドＡＲＱ（ＨＡＲＱ）が開発されてきている。
【０００５】
上述の通信技術に関する欠点は、これらが受信ノードにより受信されたエネルギーをあまり効率的な方法で利用していないことである。このことはシステムのスループットに悪影響を与えるだけでなく、システム遅延とシステムにおける電力及びエネルギー効率とにも同様に悪影響を与える。
【発明の概要】
【発明が解決しようとする課題】
【０００６】
よって、上述の説明から明らかになるように、通信システムにおけるより確実で効率的な動作を得ることができる解決策の必要性が存在する。
【０００７】
このような解決策が本発明によって提供され、本発明は複数の送受信機が存在し得る通信システムで用いられる方法を開示する。
【課題を解決するための手段】
【０００８】
本発明が適用されてもよいシステムでは、システム内の少なくとも第２の送受信機及び第３の送受信機にデータ・パケットを送信できる第１の送受信機が存在し得る。本発明の方法によれば、少なくとも第２の送受信機が受信されたデータ・パケットの表示値を記憶した後に、第２の送受信機により受信された一つ以上のデータ・パケットの受信品質を代表する品質値を第１の送受信機に送信できる。
【０００９】
本発明によれば、第１の送受信機は自身のデータ伝送を修正するために品質値を用いることができ、第２の送受信機により送信される品質値はシステム内の少なくとも一つの送受信機を対象とした一つ以上のデータ・パケットの受信品質を代表し又は受信品質に基づき、このような取り得る複数の値の一つとして表現される。
【００１０】
よって、第２の送受信機により送信される品質値は、システム内の事実上任意の送受信機を対象とするデータ・パケットの第２の送受信機における受信品質を代表することができるため、本システムにより用いられるエネルギーは、以前のシステムよりもより効率的な方法で利用されてもよい。
【００１１】
本発明のこの利点及びその他の利点は、以下の詳細な説明からよりさらに一層明らかとなるだろう。
【００１２】
本発明の好適な実施形態では、第２の送受信機は、受信されたデータ・パケットのそれぞれについて一つの品質値を送信する。また、第２の送受信機（１２０）により送信される品質値は、少なくとも一部が第２の送受信機を対象とする一つ以上のデータ・パケットの受信品質を代表してもよい。適切には、第２の送受信機により送信される品質値はまた、第２の送受信機におけるチャネル品質を含むことができる又はチャネル品質に基づくことができるが、必ずしも必要ではない。
【００１３】
本発明の別の実施形態では、第１の送受信機はまた、複合パケット、すなわちシステム内の一つ以上の送受信機を対象とする一つ以上のデータ・パケットが符号化により合成されているパケットとしてデータを送信できる。このような実施形態では、メッセージが対象とするシステム内の送受信機がどれであるかを示すように復号が実行されるように、複合メッセージが符号化されてもよい。好適には、符号化はまた、複合パケットに含まれる個々のパケットに重み付け係数を適用することを含むことができる。
【００１４】
第１の送受信機は、システムにおける性能測定値を最適化するために、受信した品質値に基づいてデータ・パケットの前記伝送を適応的にスケジューリングすることによって、及び／又は、一緒に符号化される前記システム内の個々の送受信機を対象とするデータ・パケットを適応的に選択することによって、品質値に基づいて自身のデータ伝送を修正してもよい。性能測定値は好適にはシステムのスループットである。これに代えて、後続の伝送について予想される受信品質値と望まれる受信品質値との間の差の二乗和を最小化することも可能であるだろう。
【００１５】
第１の送受信機はまた、システムにおける性能測定値を最適化するために、上述の重み付け係数を選択することによって、自身のデータ伝送を修正できる。
【００１６】
本発明のシステムでは、システム内の第２の送受信機と第３の送受信機との少なくとも何れかは、第１のメッセージと第２のメッセージとの少なくとも何れかが複合メッセージである場合に、復号を実行するために、以前に受信された第２のメッセージを用いることによって、受信された第１のメッセージを復号してもよい。
【図面の簡単な説明】
【００１７】
【図１】本発明が適用されてもよいシステムを示す。
【図２】本発明が適用されてもよい汎用的なシステムを示す。
【図３】符号化の例を示す。
【図４】本発明のシステムの基本的な実施形態を示す。
【図５】本発明の第１の送信機の構造を示す。
【図６】本発明の第１の受信機の構造を示す。
【図７】数式を示す。
【図８】本発明の第１の送受信機の構造を示す。
【図９】本発明の第２の送受信機の構造を示す。
【図１０】本発明の方法のフローチャートを示す。
【発明を実施するための形態】
【００１８】
本発明は、添付の図面を参照しつつ、以下により詳細に説明される。
【００１９】
図１は、本発明が用いられてもよいシステム１００の略図の概観を示す。よって、図に示されるように、本発明は主にセルラ無線通信システム１００を対象とし、セルラ無線通信システム１００には、システムのセル１４０内のユーザ端末（ＵＥ）との間のトラフィックを制御する役割を果たす「基地局」（ＲＢＳ１１０）が存在する。図１には、二つのＵＥ１２０、１３０が例として示されるが、当然ながらＵＥの数は変わり得る。
【００２０】
しかしながら、セルラ電話システムが本発明の主な「ターゲット」であるが、本明細書を読めば、本発明がその他の分野の無線通信にも同様に適用されてもよく、実際のところ、本発明が送信機と、送信機がデータを送信することを望む複数の「加入者」とが存在する「有線で結ばれた」システムにも適用されてもよいことが通信分野の当業者に明らかとなるだろう。
【００２１】
よって、本発明はこれ以降、図２に示されるシステムような、より汎用的なシステムを表現する図面を活用して説明される。しかしながら、読解及び理解を容易にするために、図１からの参照番号が維持されている。図に示すように、図２のシステム２００は、第２の汎用送受信機１２０及び第３の汎用送受信機１３０へデータを送信する第１の汎用送受信機１００を備える。
【００２２】
本明細書で上述されたように、本発明の目的は、エネルギー利用を改良し、それによって無線通信システムのデータ・スループットを改良することである。しかしながら、これがどのように実行されるかの説明を着手する前に、本明細書で用いられるいくつかの用語をここで定義する。
【００２３】
＜データ・パケット＞：情報を運ぶエンティティ。情報はパケット以外の形式で送信されてもよく、よって、パケットという用語は本明細書では例えば信号、情報ストリーム／情報フローなどのような用語を含み得る汎用的な用語として理解されるべきであることが理解されよう。本明細書における「データ・パケット」という用語によって包含される用語の例として、３ＧＰＰのＬＴＥ（第３世代パートナーシップ・プロジェクトのロング・ターム・エボリューション）で用いられるＯＦＤＭＡから取り入れられた用語である「リソース・ブロック」という用語が与えられてもよい。
【００２４】
＜レギュラー・パケット（ＲＰ）＞：例えばＡＲＱ（自動反復要求）を用いるシステムにおいて用いられる「単なる（ｐｌａｉｎ）」（データ）パケット。
【００２５】
＜複合パケット（ＣＰ）＞：複数の受信相手を対象とする複数のＲＰが一緒に合同で一つのパケットに符号化されているパケット（またはそのペイロード）。符号化は例えば全パケット間又はパケットの部分列間の有限体又は無限体における単純な重み付け線形加算であってもよい。非線形の符号化も可能である。
【００２６】
＜汎用パケット（ＧＰ）＞：ＲＰ又はＧＰのいずれかに対する汎用的な記法。
【００２７】
＜データ品質情報（ＤＱＩ）＞：受信機におけるＧＰの受信品質の測定値又は表示値（ｒｅｐｒｅｓｅｎｔａｔｉｏｎ）。ＤＱＩはＧＰの復号可能性のレベルを表し、スカラ、ベクトル、又はたとえ行列で表されてもよい。一般に、本発明の発明者によってスカラが十分に提案される。いくつかの例を与えるために、ＤＱＩは平均ＳＩＮＲ（信号対干渉雑音比）の測定値、平均ＬＬＲ（対数尤度比）の測定値、又は平均ＬＬＲだけでなくＬＬＲの分散の測定値でさえあってもよい。
【００２８】
ＬＬＲの確率密度関数をより正確に表現するために、例えば３次モーメントのような、平均及び分散よりも高次のＬＬＲの統計モーメントがさらに用いられてもよい。本発明におけるＤＱＩは、「自身の」パケット、すなわちパケットを受信する受信機を対象とするパケットについてでもよい。または、ＤＱＩは、「オーバーハード（ｏｖｅｒｈｅａｒｄ）・」パケット、すなわち第１の受信機により受信されたが第２の受信機を宛先とするパケットについてでもよい。ＤＱＩはまた、複数の受信ノードを宛先とする情報を含み、「自身の」ノードが複数の受信ノードのうちの一つであってもなくてもよいＣＰについてであってもよい。ＤＱＩはまた、十分且つ完全な復号可能性をＡＣＫが単に通知するため、パケットが復号されたことを示すＡＣＫメッセージを備えてもよい。例えば、ｂビットのスカラとして表現されるＤＱＩの場合に、２ｂ個の取り得るワードのうちの一つにＡＣＫが対応してもよい。ＧＰの符号化に依存して、「自身の」パケット、オーバーハード・パケット、又はＣＰすなわち共有情報を有するパケットが正常に受信されたことをＡＣＫが知らせることができることが指摘され得る。
【００２９】
＜チャネル品質情報（ＣＱＩ）＞：例えば、信号対干渉雑音費（ＳＩＮＲ）又は相互情報（ＭＩ）として表現される瞬時チャネル品質の測定値。
【００３０】
ここで、本発明の目的、すなわち通信システムのエネルギー利用を改良することに戻り、この目的がどのように達成されるかの最初且つ極めて基本的な説明は以下のようであり、これは本明細書の後半で詳細に説明される。
１．システム内の受信機１２０、１３０は、送信機により送信され、受信機により受信されたレギュラー・パケット及び複合パケットに関するフィードバックであり、チャネル品質情報（ＣＱＩ）も備えるいわゆる「ソフト品質」フィードバックをシステム内の送信機１１０に供給する。
２．送信機１１０におけるデータ・パケットのスケジューリング・符号化動作はソフト品質フィードバック情報に基づき、場合によってはＣＱＩにも基づく。
３．受信機におけるメッセージの合成及び復号は、部分的に復号された「自身の」レギュラー・パケット及び複合パケットに基づくだけでなく、部分的に及び完全に復号されたオーバーハード・パケット及び共有されたレギュラー・パケット及び符号化された複合パケットに基づく。
【００３１】
よって、上述の説明から明らかになるように、ＲＰをＣＰに合成するために本発明のシステム内の送信機（例えば、セルラ電話システム内のＲＢＳ）によって符号化が用いられる。図３は本発明の好適な実施形態における送信機によって用いられる符号化の例を示す。第１のレギュラー・データ・パケット（ＲＰ１）３１０が示され、同様に第２のレギュラー・データ・パケット（ＲＰ２）３２０が示される。図に示すように、ＲＰ３１０、３２０のそれぞれは複数のセグメントを備える。図３に示される例では、各ＤＰには８個のセグメントが存在するが、これは当然ながらＤＰ内のセグメント数の一例にすぎない。
【００３２】
各セグメントのサイズ、すなわちセグメント内の含まれるビット数は、用いられる符号化の種類に依存する。例えば、いわゆる有限体加法（ｆｉｎｉｔｅ  ｆｉｅｌｄ  ａｄｄｉｔｉｏｎ）が用いられる場合、そしてより具体的には有限体がいわゆるガロア体（ＧＦ）の場合に、セグメントのサイズはガロア体のサイズに依存するだろう。ＧＦ（２８）が用いられる場合、すなわち２５６個の異なる要素を有するＧＦの場合に、有限体に対して８ビットが必要となり、従って各セグメントに対しても８ビットが必要となる。２値表現、すなわち０及び１の表現を用いる場合に、有限体はＧＦ（２）であり、これは１ビットのセグメントを生み出す。ＧＦ（２）における加法は、図３に示されるように、ビット単位のＸＯＲ演算である。セグメント数は、各データ・パケットにおけるビット数及び有限体のサイズに依存する。例えば、Ｌビットのパケットについて、セグメント数はＧＦ（２ｍ）に対してｃｅｉｌ（Ｌ／ｍ）である。ここで、「ｃｅｉｌ」は最も近い整数へ切り上げる関数である。
【００３３】
図３に示されるように、第１の重み付け係数Ｗ１が第１のデータ・パケットＰＲ１内の各セグメントに適用され、第２の重み付け係数Ｗ２が第２のデータ・パケットＲＰ２内の各セグメントに適用される。
【００３４】
二つのデータ・パケットＲＰ１、ＲＰ２は、図３においてＣＰ１（３３０）で示される複合パケットに達するように、セグメント単位で加えられる。
【００３５】
図３に示される符号化の数式表現は以下である。
2010521838.tif 000003
ここで、Ｃは送信機ごとに今までに送信されたすべての汎用パケットを表すベクトルであり、Ｄは今までに複合パケットに符号化されたすべての（レギュラー・）パケットのベクトルであり、Ｗは重み付け行列である。重み付け行列Ｗの行が非ゼロ要素を一つだけ含む場合にレギュラー・パケットが送信される一方で、複数の非ゼロ要素が複合パケットに対応する。
【００３６】
式［１］において、演算は有限体において例えば連続的又は離散的に行われてもよいが、好適にはガロア体ＧＦ（ｐｍ）のような有限離散体において実行される。ここで、ｐは素数であり、ｍは０より大きい正の整数である。
【００３７】
本発明は図３に示される符号化及び数式［１］に限定されず、本発明の複合パケットにおける個々のパケットと同様に、他の非線形符号化方式も、情報、特に異なるユーザが指定された情報の異なる部分の統合／混合／符号化のために、用いられてもよい。
【００３８】
図４は本発明の汎用システム４００を示し、以前の参照番号が維持されている。図４に示すように、第１の送信機１１０は第１の受信機Ｒｘ１１２０及び第２の受信機Ｒｘ２１３０へＧＰを送信し、第１の受信機及び第２の受信機はＧＰを受信して、場合によっては以前に受信されたＧＰを用いて、これらを復号することを試みる。この概念は後で詳細に説明される。さらに、受信機１２０、１３０はＤＱＩ（データ品質インデックス）を、送信機１１０へ送信する。ＤＱＩは受信されたＧＰの受信機における受信品質を代表する。適切には、受信された各ＧＰについて一つのＤＱＩ値が各受信機によって送信される。
【００３９】
以下により詳細に説明されるように、送信機１１０は、ＧＰをスケジュール及び符号化するために、すなわちこの文脈においてはレギュラー・パケットを複合パケットに符号化するために、送信機１１０は受信したＤＱＩ値を用いる。
【００４０】
ＤＱＩの概念それ自体は上述されてきたが、以下のように詳細に説明されてもよい。前述のように、ＤＱＩはＧＰの受信品質を表す測定値であり、受信機１２０、１３０から送信機１１０にフィードバックされる。よって、本発明のシステムにおいて、図１及び図２に示される受信機１２０、１３０のような受信機は、ＤＱＩを測定する手段と、測定されたＤＱＩを代表する値を送信機に返送する手段とを備えるだろう。ＤＱＩを測定する手段は適切にはアナログ・ディジタル変換器（ＡＤＣ）を備え、ＡＤＣにおいて、受信されたビット・ストリーム又はパッケージ内のビットの品質がパケット全体の集約として測定又は推定され得る。
【００４１】
受信機から送信機にフィードバックされる情報すなわちＤＱＩの正確な性質に関して、ビットごとの品質のフィードバック、または既知の数式と一緒にパッケージの「ビットごとの品質」の確率分散関数及び累積分散関数（ＰＤＦ／ＣＤＦ）を記述するパラメータを含むいくつかの実施形態が可能である。さらに、ビットごとの品質の推定されたＰＣＦ／ＣＤＦのモーメント（すなわち、平均、分散など）のような、よりコンパクトな統計測定値もまた本発明において用いることができる。当然ながら、ビットごとの品質情報のフィードバックは、多量のリソースを使用するだろう。よって、ＰＤＦ／ＣＤＦのパラメータ又は統計モーメントのような、よりコンパクトでリソース効率の高いフィードバック・フォーマットが好ましい。特に、品質の平均はフィードバックにとって興味深い。さらに、情報を圧縮する手段も用いられてもよい。
【００４２】
「ビットごと」に関する品質を議論する際に、本明細書で考慮される二つの変形は、符号化ビット及びデータ・ビットである。復号によっていかなるレイテンシーも生じることなく高速フィードバックが可能であるため、以下では、符号化ビットが好適な実施形態において用いられる。
【００４３】
ＤＱＩとして用いられる品質測定値に関して、品質測定値は、各復号ビット（又はこれに代えて、符号化ビット）についての対数尤度比（ＬＬＲ）の測定値であり得るだろうことを前提にする。符号化の分野で一般的に用いられるＬＬＲは多くの場合に以下の式で定義される。
2010521838.tif 000004
【００４４】
数式［２］において、Ｐは確率であり、ｘは送信されたビットの値であり、ｒは受信された値である。受信された値ｒはチャネル減衰ｈ及び雑音ｎにより影響を受けてもよく、その結果、ｒ＝ｈｓ＋ｎとなり、ｘは例えば２値ＰＳＫ信号ｓにマッピングでき、この場合にｘは２値ｘ＝０又は１にそれぞれ対応する＋１及びー１の値を前提としてもよい。尤度比ＬＲ又は上記［２］におけるＬｉは時には確率比の逆数で定義されてもよいことが指摘され得る。
【００４５】
ＬＬＲの概念をさらに説明するために、無線チャネルの合理的な近似である加法性白色ガウス雑音（ＡＷＧＮ）チャネル、すなわち以下の数式を検討しよう。
2010521838.tif 000005
【００４６】
上記の［３］において、ｈは（送信側の増幅利得だけでなくチャネル利得を含む）複素利得係数であり、ｎはσ２の分散を有する複素ガウス雑音であり、ｓは直交振幅変調（ＱＡＭ）、位相変調（ＰＳＫ）又はその他の変調方法により与えられるような信号コンスタレーションから選択される値である。例えば、パルス振幅変調（ＰＡＭ）の場合に、ＬＬＲは以下の式として知られている。
2010521838.tif 000006
【００４７】
数式［２］と数式［４］とを組み合わせて、ｘ＝０を用いると、ｓ＝１が送信されることを示せ、ｘ＝１を用いると、ｓ＝−１が送信されることを示せるだろう。
【００４８】
送信機にフィードバックするためにＤＱＩのような推定された平均ＬＬＲ値を用いる代わりに、ＧＰについての信号対干渉雑音比（ＳＩＮＲ）を代わりに用いることが可能であるだろう。
【００４９】
しかしながら、以下において、読者による本発明の理解を容易にするために、ＧＰについての平均ＬＬＲがＧＰについてのＤＱＩとして用いられることを前提とするが、これにより本発明が制限されることはない。
【００５０】
本発明の送信機１１０における機能ブロックのブロック図が図５に示される。図５に示すように、送信機１１０はシステム内の受信機からＤＱＩを受信する一つのブロック５４０を備えるだけでなく、スケジューリング・符号化ユニット（ＳＣＵ）５３０と、送信前にデータを符号化する一つのユニット５１０とを備える。さらに、送信機１００はまた、伝送のためのデータを受信するユニット５５０、すなわち一つ以上のデータ・バッファを有するユニットを備える。
【００５１】
ユニット５５０は、宛先のユーザによりパケットが受信されるまで、送信する任意のパケットを記憶する。これは、複合パケット又はレギュラー・パケットの肯定応答のフィードバックから見出せる。５５０内に存在する中身の知識を有するＳＣＵ５３０は、どのパケットが一緒に符号化され、どんな重みを有するかを判定する。よって、伝送において、ＳＣＵ５３０は、符号化動作が行われる符合器５１０に対して、パケットを送信するように（又は同等にはフェッチし及びフォワードするように）命令する。図５に示されるように、送信機はまた、システム内の他の相手との間で情報を送受信するためのアンテナ５２０を備える。
【００５２】
符号器５１０は本質的に図３に関連して説明されてきたように動作し、従って、ここではより詳細には説明されない。ＤＱＩユニット５４０の機能は基本的にシステム内の受信機からＤＱＩ値を受信して、ＳＣＵ５３０及びデータ・ユニット５５０にＤＱＩ値を分配することである。
【００５３】
ＳＣＵ５３０の機能は以下の通りである。ＳＣＵ５３０はどのパケット又はパケット群をＧＰの形式で送信するか、どの符号重みを用いるか、データ・ユニット又はバッファ５００のバッファが含むものだけでなく、以前に送信されたＧＰの受信品質を代表する値、すなわち受信機１１０により受信されたＤＱＩ値についての知識をＳＣＵが何の目的のために使用するかを決定する。
【００５４】
ＳＣＵの機能のより数学的な説明は以下の通りである。
【００５５】
スケジューリング・符号化ユニット（ＳＣＵ）５３０のタスクは伝送をスケジュールするために次のＧＰすなわちＣＰ又はＲＰのいずれかを発見することである。これは、受信されたＤＱＩフィードバックに少なくとも基づき、以前に送信されてＤＱＩが報告されているＧＰについて用いられた符号化を知ることに基づいて行われる。
【００５６】
以前に送信された各ＧＰの品質を以下の行列によって表そう。
2010521838.tif 000007
ここで、Ｕはユーザ数であり、Ｊは送信されたＧＰ数である。伝送において用いられた符号化は以下の符号化行列によって表される。
2010521838.tif 000008
ここで、Ｍは送信されているデータ・パケット数、もっと厳密に言えば送信処理の過程にあるデータ・パケット数である。
【００５７】
まず、各パケットが一人のユーザだけにより受信されると仮定すると、データ・パケットの品質を表すために、以下のベクトルを用いる。
2010521838.tif 000009
そして、この品質は以下の数式に従うＷ及びＱＣの関数ｆ（…）である。
2010521838.tif 000010
【００５８】
送信機における推定値ｑＤは、指定されたパケットについて受信機が有するだろう品質を反映すべきである。ここで、複数ユーザが一つ且つ同一のＧＰを受信することを対象とする場合、すなわちＧＰが複数の受信機を対象とするＲＰを備える場合に、ｑＤの概念を以下の行列に一般化してもよい。
2010521838.tif 000011
ここで、特定のユーザを指定しないパケットに対応する所定の要素は無効（ｖｏｉｄ）として指示され、従って無視される。そして、これは以下を与える。
2010521838.tif 000012
【００５９】
各列内の一つ以外のすべての要素を無効として指定したＱＤの特別な場合としてｑＤを見ることができる。従って、ＱＤは以下において用いられるだろう。パケットが指定された受信機により受信された場合に、これらは複雑性の理由でＱＤ内に含まれていなくてもよい（し、好適には含まれないべきである）。
【００６０】
結局のところどのようにＱＤを判定できるかについての問題になる場合に、一つの方法は、Ｗ及びＱＣに基づいて、場合によってはＧＰ内の情報の知識をも用いることによって、受信機における方法と同じ方法で送信機において復号を実行することである。いわゆる「確率伝播」のような反復技術又は場合によっては直接計算技術も用いられ得るだろう。
【００６１】
ここで、ＳＣＵ５３０のタスクは、どの発信パケットが一緒に符号化されるべきか及びどの符号重みがこれらのパケットに対して用いられるべきかを試して理解することである。
【００６２】
この目的のために、以下の暫定的な重み付け行列を定義してもよい。
2010521838.tif 000013
これは、行列が定義されてもよい体に含まれる要素の集合で構成される。ここで、Ｔは１以上で且つＳＣＵが計画しているＧＰの最大数以下の数であり、これにより１つ又は場合によっては複数のＧＰがスケジュールされることが可能となる。Ｍ´は送信が予定されるデータ・パケット数であり、その結果として潜在的な新たなパケットが追加されてもよい。これに基づいて、ＱＤの推定された将来のバージョンは、明らかに依存しているＷ及びＱＣだけでなく、Ｗ´の関数、すなわち以下の数式で記述され得る。
2010521838.tif 000014
【００６３】
［１２］の式は送信されたＧＰの将来の結果の推定値である。ＱＣはチャネルの品質を予測するために十分な情報を保持しているかもしれないが、チャネルについてのより多くの詳細が知られている場合に、［１２］以外のより明示的な数式を用いることも可能である。よって、代替の公式は以下である。
2010521838.tif 000015
【００６４】
［１３］で、Ｘはまた、瞬時／平均チャネル利得情報、チャネル利得対雑音（干渉）情報等のような情報の一つ以上を含む。ここで、最適符号化行列
2010521838.tif 000016
は以下の数式を通じて判定される。
2010521838.tif 000017
ここで、
2010521838.tif 000018
であり、
2010521838.tif 000019
は最適化されたものに依存して許容符号行列の空間を定義し、
2010521838.tif 000020
はいわゆる目的関数である。［１４］において、「ｏｐｔ」という用語は、関数の最小化又は最大化のいずれかであってもよい最適化演算を意味する。
【００６５】
実際に目的関数
2010521838.tif 000021
を取得するために考慮される必要がある少しの要因は、望まれるスループット、「公平性の度合い」、及び場合によってはＱｏＳ（サービス品質）サポートの度合いである。
【００６６】
目的関数の少数の例示的な実施形態が以下で与えられるだろう。第１のアプローチでは、全体的な品質向上を最大化することに関心がある。なぜなら、これは全体的なスループットによい影響を与えるはずだからである。そして、符号行列は以下の演算によって求められる。
2010521838.tif 000022
ここで、無効行列要素は無視され、
2010521838.tif 000023
はＰ−ノルムであり、例えばＰ＝１，２，∞である。Ｐ＝１の場合に、これは平均品質の向上の最大化に等しくなる。
【００６７】
別の方法は、ＲＰが最初に送信された（又は最初に受信され伝送バッファ内に配置された）時点からの時間依存の方式でＲＰについての品質が進捗することが望まれるという事実に基づく。この時点がｔと参照される場合に、
2010521838.tif 000024
についての時間依存関数を得ることができる。ここで、ｕ及びｍは、
2010521838.tif 000025
に用いられるインデックスを表す。
2010521838.tif 000026
は［１７］と番号付けされる数式である。
【００６８】
相対的な改良を伴う様々な方法を検討することもできるだろう。このような場合において、上述の式のバージョンは以下になるだろう。
2010521838.tif 000027
ここで、演算÷は要素に関する除算を意味する。これは、低品質リンクもスケジュールされる点において改良された公平性を保証する。特に、チャネル・フェージングのピークが利用され得るチャネル依存のスケジューリングについてこれは利益を有するだろう。
【００６９】
その他のスケジューリング・符号化アルゴリズムが当然ながら可能であり、同様に当業者に認識されるだろう。
【００７０】
図６は、図１、２、４に示されるＵＥ１２０、１３０のような、本発明で用いられる受信機の概略ブロック図を示す。図６に示すように、受信機、又はもっと正確に言えば送受信機１２０、１３０は、システムの送信機（セルラ・システム内のＲＢＳ）と情報を交換するためのアンテナ６１０、合成・分離（ｄｅ−ｃｏｍｂｉｎｉｎｇ）ブロック６２０、及び「事前（ａ  ｐｒｉｏｒｉ）ブロック」６３０を備える。アンテナ６１０の機能は自明であり、すなわちデータの送受信を支援する。ブロック６２０、６３０の機能は以下の通りである。
【００７１】
送受信機１２０、１３０は受信した任意且つ全てのパケットを復号することを試みる。そうすることにおいて、以前に受信され記憶されたＲＰとＣＰとの少なくともいずれかすなわちＧＰの事前（ａ  ｐｒｉｏｒｉ）情報を用いる必要があるかもしれない。一般に、この事前情報は、ビットごとのＬＬＲ情報又は単にディジタル化された受信シンボルであるが、事前情報はまた、システム内の他のユーザを宛先とするオーバーハード・パケットについて正常に復号された情報又は部分的に復号された情報であってもよい。よって、以前に受信されたＧＰについての事前情報は受信機内のメモリ、適切には事前ブロック６３０に記憶され、好適には、ＧＰが送受信機１２０、１３０により受信された際に更新することによって改良されてもよい。
【００７２】
本発明の送受信機１２０、１３０における基本的な考えは、例えばＧＰのような情報の部分の復号・合成を実行することである。ＧＰは、受信機により少なくとも一度は送実行されていた送信機への中間のフィードバックを伴う、少なくとも二度の異なる場合で受信されるべきである。
【００７３】
中心となるアイデアは、以下の一部又は全てを用いて、自分自身すなわち送受信機１２０、１３０を宛先とする情報を強化することである。
・自身の送受信機を宛先とするソフト未復号（ｕｎｄｅｃｏｄｅｄ）情報
・ソフト未復号オーバーハード情報、すなわち他の送受信機を宛先とする情報
・ソフト未復号「混合（ｍｉｘｅｄ）」情報、すなわち少なくとも一部のパケットが自身の送受信機を宛先とするＣＰ
・他のユーザを宛先とする復号オーバーハード情報
・復号混合情報、すなわちＣＰの形式における情報
【００７４】
いくつかのＧＰは「自身の」送受信機を宛先とする情報又はシステム内の他の送受信機を宛先とする情報として分類されてもよいだけでなく、マルチキャスティングの場合において、情報はシステム内のいくつかのノード又は送受信機を宛先にしてもよいことに留意されたい。
【００７５】
＜合成＞
ＧＰを合成する一つの方法は、いわゆるチェイス合成法による。チェイス合成法ベースのＨＡＲＱは既知であるため、本明細書で用いられるチェイス合成法を「チェイス合成法ベースのマルチユーザＨＡＲＱ」と表す。本発明の場合では、本明細書において前述されたように、パケットは複合パケットに符号化される。
【００７６】
ガロア体（２）（ＧＦ（２））における符号化の動作で例示するが、これは単なる例であり、本発明はこの場合に限定されるわけでない。Ｃ１＝Ｄ１（ここで、Ｃは上述の数式［１］のＣである）であるユーザｕ１を宛先とするパケットＤ１、及びＣ２＝Ｄ２であるユーザｕ２を宛先とするパケットＤ２の各ビットに対して、送受信機１２０、１３０内の合成・復号ブロック６２０は、ＧＦ（２）すなわちビット単位ＸＯＲにおいて複合パケット
2010521838.tif 000028
を形成（すなわち符号化）することを前提とする。ｕ１に注目して、ｕ１がＣ１、Ｃ２、Ｃ３の劣化バージョンを受信し、これに基づいてｕ１がＤ１を推定することを望むことを前提とする。
【００７７】
ここで、Ｄ１について改良されたＬＬＲ値を計算して更新しよう。まず、同等に
2010521838.tif 000029
と書くことが可能であることが見て取れる。受信された汎用パケットＣ２及びＣ３すなわちそれぞれｒ２及びｒ３の観察に基づいて尤度比を取得することができる。結果として生じる数式が添付の図７に示され、本明細書では方程式３として参照される。
【００７８】
方程式３の最右辺において、（２）が用いられている。ここで、方程式３により、以下の（４）に示されるように、Ｄ１についての（ビットごとの）更新されたＬＬＲが計算されることを可能となる。
2010521838.tif 000030
【００７９】
（４）において、ｊ番目のＧＰ（ｊ∈｛１，２｝）のどれであるか及びこれを受信するｕ番目のノードがどれであるかを示すＬＬＲについての概念Ｌｊｕを導入している。
【００８０】
同様に、ユーザ２は（それぞれのビットのそれぞれについての）自身の「対数尤度」を以下の式によって更新し、改良してもよい。
2010521838.tif 000031
【００８１】
＜復号＞
本発明の送受信機で用いられてもよい復号方法の一つの例はいわゆる「増加的冗長性（Ｉｎｃｒｅｍｅｎｔａｌ  ｒｅｄｕｎｄａｎｃｙ）」である。増加的冗長性ベースのＭＵ−ＨＡＲＱについて、よく知られたいわゆる「確率伝播アルゴリズム」が復号のために用いられてもよく、これは時には「メッセージ・パッシング・アルゴリズム」とも呼ばれる。確率伝播を用いることの利点は、これが本発明のシステムをパケット間の単純なビット単位のＸＯＲ演算に限定せず、例えば畳み込み符号、ターボ符号、ＬＤＰＣ符号のような他の符号を用いることができるだろうことである。増加的冗長性についての一般的な別の利点は、追加の符号化利得が取得される点であり、これは性能を向上するか、又はこれに代えて、同じ性能レベルを低いＳＮＲで達成できる。
【００８２】
代替的な実施形態では、システム内の一つ以上の受信機は、システム内の送信機に、ＤＱＩだけでなくＣＱＩ（チャネル品質インジケータ）を送信することができる。ＣＱＩはチャネル品質の測定値であり、好適には信号対干渉雑音比（ＳＩＮＲ）又は信号対雑音比（ＳＮＲ）として表現される。
【００８３】
図８は、例えば図１、２、４に示されるシステム内のＵＥとして用いる受信側送受信機の実施形態を示す。送受信機８１０は図６に示されるものと同様であり、図６ですでに示された要素はこれらの参照番号を維持する。
【００８４】
図８に示されるように、送受信機８１０はＣＱＩを測定してシステム内の送信機に送信する手段を備える。これらの「ＣＱＩ手段」は適切には送受信機８１０の合成・分離ユニット６２０に含まれる。
【００８５】
図９は、図８の受信側送受信機８１０と一緒に送信機として用いられてもよい送受信機９１０を示す。送受信機９１０は図５に示されたものと同様であり、図５にすでに示された要素はこれらの参照番号を維持する。図９に示されるように、送受信機９１０はＤＱＩと一緒に「ソフト」入力としてＣＱＩを用いる手段を備える。
【００８６】
送信機はさらに、ＤＱＩに基づいてどのパケットを一緒に符号化するかを決定する際に、現在の又は予測されたチャネル品質を代表するＣＱＩ情報も考慮に入れてもよい。例えば、ＤＱＩに基づいて好適にはユーザに送信されるとみなされた欠損パケット又はパケット群は、ユーザへの瞬時ＣＱＩが平均ＣＱＩの上である場合に、一緒に符号化されてもよい。よって、例えばチャネルがフェードインする場合に、良好なチャネル機会が得られる。
【００８７】
図１０は本発明の方法１０００の大まかなフローチャートを示す。上述の記載から明らかになったように、本発明の方法１０００は図１、２、３に示される通信システム１００、２００、４００のような通信システムにおいて用いられることを対象とし、これらの図面に関連して説明される。
【００８８】
よって、本発明が適用されるシステムでは、複数の送受信機が存在することができ、第１の送受信機は、システム内の少なくとも第２の送受信機及び第３の送受信機にデータ・パケットを送信することができる。図１０のステップ１０１０に示されるように、本発明の方法によれば、少なくとも第２の送受信機が受信されたデータ・パケットの表示値を記憶し、その後に、第２の送受信機により受信されていた一つ以上のデータ・パケットの受信品質を代表するＤＱＩのような品質値を第１の送受信機に送信する。
【００８９】
ステップ１０１５に示されるように、品質値は、自身のデータ伝送を修正するために第１の送受信機によって用いられ得る。ステップ１０２０に示されるように、第２の送受信機は自身及び第３の送受信機の両方を対象とするデータ・パケットをリッスンするだろう。ステップ１０２５に示されるように、第２の送受信機によって送信される品質値は一つ以上のデータ・パケットの受信品質を代表する。ステップ１０３０は、このような取り得る複数の値のうちの一つとして受信品質値が表現される、すなわちこのような値の範囲から受信品質値が選択されることを示す。本発明によるデータ伝送の修正は、パケットを複合パケットに符号化するための重みを選択することと、どのパケットを送信するかを選択することとを少なくとも含む。重み及びパケットの選択に加えてさらに取り得る修正は、符号化、変調、及びその他の伝送パラメータを適応することであるだろう。
【００９０】
ステップ１０３５は、第２の受信機は好適には各受信データ・パケットに対して一つの品質値を送信してもよいが、必ずしも必要ないことを示す。ステップ１０４０は、第２の送受信機により送信された品質値は、少なくとも一部が第２の送受信機を対象とする一つ以上のデータ・パケットの受信品質を代表してもよいことを示す。
【００９１】
ステップ１０４５に示されるように、本発明の一つの実施形態では、第２の送受信機はまた、受信品質値を代表する値すなわちＤＱＩと一緒に、第１の送受信機が自身のデータ伝送を修正するためにも用いる値である、第１の送受信機から第２の送受信機への例えば（パイロット信号又はリファレンス・シンボルとしても知られる）チャネル推定シンボルからチャネル品質を推定することに基いたチャネル品質に関する値、例えばＣＱＩを第１の送受信機に送信する。
【００９２】
ステップ１０５５は、第１の送受信機が複合パケット、すなわちシステム内の一つ以上の送受信機を対象とする一つ以上のデータ・パケットを含むパケットとして自身のデータを送信することができ、適切には、メッセージが宛先とするのがシステム内のどの送受信機であるかを復号が示すように、複合メッセージが符号化される。
【００９３】
ステップ１０５０に示されるように、データ・パケットの符号化は、複合パケットに含まれる個々のパケットに重み付け係数を適用することをも備えてもよい。
【００９４】
本発明の方法によれば、第１の送受信機はまた、システムにおける性能測定値を最適化するために、受信された品質値に基づいてデータ・パケットの伝送を適応的にスケジューリングすることによって、又は一緒に符号化されるシステム内の個々の送受信機を対象とするデータ・パケットを適応的に選択することによって、自身のデータ伝送を修正してもよい。さらに、システムにおける性能測定値を最適化するために、重み付け係数を選択することによって修正がなされ得る。
【００９５】
ステップ１０６５に示されるように、本発明が適用されるシステム内の第２の送受信機と第３の送受信機との少なくとも何れかは、第１のメッセージと第２のメッセージとの少なくとも一つが複合メッセージである場合に、復号を実行するために、以前に受信された第２のメッセージを用いて第１の受信されたメッセージを復号してもよい。復号において、受信品質値情報ＤＱＩに基づいて修正された受信データ・メッセージは以前に受信された一つ以上のメッセージと一緒に合成と復号との少なくとも何れかが行われる。
【００９６】
よって、本発明は図１０に関連して上述された方法を対象とするが、本発明はまた、図１、２、４に示されたシステム内の要素、すなわち図６、図８の受信側送受信機及び図５、図９の送信側送受信機を対象とする。
【００９７】
従って、本発明の受信側送受信機１２０、８１０は図１、２の通信システム１００、２００、４００のような通信システム、言い換えると複数の送受信機が存在することができ、複数の受信側送受信機にデータ・パケットを送信できる送信機を有するシステムを対象とする。本発明の受信側送受信機１２０、８１０は、受信されたデータ・パケットの表示値を記憶する手段と、送受信機によって受信された一つ以上のデータ・パケット３００の受信品質を代表する品質値を送信機に送信する手段を備え、この手段は合成・復号手段６２０に組み込まれてもよいが、これらはまた別個の手段であり得る。
【００９８】
送受信機１２０、８１０はまた、自身と、システム内の送受信機１３０のような少なくとも一つのその他の相手との両方を対象とするデータ・パケットをリッスンする手段を備え、送受信機１２０、８１０により送信された品質値は、一つ以上のデータ・パケットの受信品質の表示値であり、このような取り得る複数の値のうちの一つとして表現される。このリッスンする手段も、合成・復号手段６２０に含まれてもよいし、別個の手段とすることもできる。
【００９９】
好適な実施形態では、送受信機１２０、８１０は受信されたデータ・パケットのそれぞれについて一つの品質値を送信し、品質値は、少なくとも一部が送受信機１２０、８１０、すなわち送受信機自身及びシステム内のその他の相手を対象とするである一つ以上のデータ・パケットの受信品質を表してもよい。
【０１００】
本発明の送受信機はまた、図８に示されるように、例えばパイロット信号について測定された又は受信データについて「ブラインド的に（ｂｌｉｎｄｌｙ）」測定された送受信機におけるチャネル品質に関する値を送信機に送信することができてもよい。チャネル品質測定値はチャネル品質の瞬時表示値であってもよいし、時間的に前方のある時刻について予測された値であってもよい。
【０１０１】
一つの実施形態では、送受信機１２０、８１０はまた、複合パケット、すなわち、システム内の一つ以上の送受信機を対象とする一つ以上のデータ・パケットが符号化によって合成されているパケットとして受信して復号してもよく、それによって、メッセージが宛先とするのはシステム内のどの送受信機であるかを復号が示してもよい。このような送受信機は、前述の復号を実行するために以前に受信された第２のメッセージを用いることによって、第１の受信されたメッセージを復号することができてもよい。ここで、第１のメッセージと第２のメッセージとのうちの少なくとも一つは複合メッセージである。
【０１０２】
適切には、送受信機１２０、８１０は、ＧＳＭ、ＷＣＤＭＡ、ＣＤＭＡ−２０００、ＬＴＥ、ＬＴＥアドバンスド、８０２．１６（ＷｉＭａｘ）システムのようなセルラ無線システム対象とするユーザ端末であるだけでなく８０２．１１のようなＷＬＡＮシステムを対象とするユーザ端末である。
【０１０３】
ここで図５、９の送信側送受信機１１０、９１０に戻り、このような送受信機は、上述の説明から明らかとなったように、図１、２、４の通信システム１００、２００、４００のような通信システム、すなわち複数の受信側送受信機が存在でき、本発明の送信側送受信機１１０、９１０が、図１、２、４に示される送受信機１２０、１３０のような、システム内の少なくとも第２の送受信機及び第３の送受信機にデータ・パケットを送信できるシステムにおいて用いられることを対象とする。
【０１０４】
本発明の送受信機１１０、９１０は、システム内の受信側送受信機の少なくとも一つから、受信機側送受信機によって受信された一つ以上のデータ・パケットの受信品質を代表する品質値を受信することができ、本発明の送受信機１１０、９１０は自身のデータ伝送を修正するために品質値を用いることができ、受信品質値はこのような取り得る複数の値の一つとして表現される。さらに、送信側送受信機１１０、９１０は複合パケット、すなわちシステム内の一つ以上の送受信機を対象とする一つ以上のデータ・パケットが符号化により合成されるパケットとしてデータを送信できる。
【０１０５】
好適な実施形態では、送信側送受信機９１０はまた、推定されたチャネル品質について受信側送受信機におけるチャネル品質に関する値を受信側送受信機から受信することができ、このチャネル品質値は自身のデータ伝送を修正するために送信側送受信装置によって用いられ得る。さらに、送信側送受信機は複合メッセージを符号化する能力を有し、それにより、このようなメッセージの復号が、メッセージの宛先であるシステム内の送受信機又は送受信機群がどれであるかを示してもよい。この符号化はまた、複合パケットに含まれることになる個々のパケットへの重み付け係数の適用を備えることもできる。
【０１０６】
一つの実施形態では、送信側送受信機１１０、９１０は、受信した品質値に基づいてデータ・パケットの伝送を適応的にスケジューリングすることによって、及び／又は一緒に符号化されるシステム内の個々の送受信機を対象とするデータ・パケットを適応的に選択することにより自身のデータ伝送を修正することによって、システムにおける性能測定値を最適化するために、自身のデータ伝送を修正することができる。送信側送受信機によるデータ伝送の修正はまた、システムにおける性能測定値を最適化するために、重み付け係数を選択することを含むことができる。
【０１０７】
適切には、本発明の送信側送受信機１１０、９１０は、ＧＳＭ、ＷＣＤＭＡ、ＣＤＭＡ−２０００、ＬＴＥ、ＬＴＥアドバンスド、８０２．１６（ＷｉＭａｘ）システムのようなセルラ無線システムを対象とする基地局であるだけでなく８０２．１１のようなＷＬＡＮシステムを対象とする基地局である。
【０１０８】
本発明は上述され且つ図面に示された実施形態の例に限定されず、添付の特許請求の範囲内で自由に変更されてもよい。
【図１】
2010521838.tif 000032
【図２】
2010521838.tif 000033
【図３】
2010521838.tif 000034
【図４】
2010521838.tif 000035
【図５】
2010521838.tif 000036
【図６】
2010521838.tif 000037
【図８】
2010521838.tif 000038
【図９】
2010521838.tif 000039
【図１０】
2010521838.tif 000040
【図７】
2010521838.tif 000041
【手続補正書】
【提出日】平成21年9月16日(2009.9.16)
【手続補正１】
【補正対象書類名】特許請求の範囲
【補正対象項目名】全文
【補正方法】変更
【補正の内容】
【特許請求の範囲】
【請求項１】
複数の送受信機（１１０，１２０，１３０）が存在し得る通信システム（１００，２００，４００）であって、前記システム内の少なくとも第２の送受信機（１２０）及び第３の送受信機（１３０）にデータ・パケットを送信できる第１の送受信機（１１０）を有する通信システム（１００，２００，４００）で用いる方法（１０００）であって、
少なくとも前記第２の送受信機（１２０）が前記受信されたデータ・パケットの表示値を記憶して、前記第２の送受信機により受信された一つ以上のデータ・パケット（３００）の受信品質を代表する品質値を前記第１の送受信機（１００）に送信（１０１０）し、
前記第１の送受信機（１１０）は自身のデータ伝送を修正する（１０１５）ために前記品質値を用いることができ、
前記第２の送受信機（１２０）は、自身及び前記第３の送受信機（１３０）の両方を対象とするデータ・パケットをリッスンし（１０２０）、
前記第２の送受信機（１２０）により送信される前記品質値は一つ以上のこのようなデータ・パケットの前記受信品質を代表し（１０２５）、
前記受信品質値はこのような取り得る複数の値の一つとして表現される（１０３０）
ことを特徴とする方法（１０００）。
【請求項２】
前記第２の送受信機（１２０）は、受信されたデータ・パケットのそれぞれについて一つの品質値を送信する（１０３５）ことを特徴とする請求項１に記載の方法（１０００）。
【請求項３】
前記第２の送受信機（１２０）により送信される前記品質値は、少なくとも一部が前記第２の送受信機を対象とする一つ以上のデータ・パケットの前記受信品質を代表する（１０４０）ことを特徴とする請求項１又は２に記載の方法（１０００）。
【請求項４】
前記第２の送受信機（１２０）は、受信されたメッセージについて前記第２の送受信機におけるチャネル品質に関する値も前記第１の送受信機（１１０）に送信し（１０４５）、
前記第１の送受信機は、自身のデータ伝送を修正するために前記チャネル品質値も用いる
ことを特徴とする請求項１乃至３の何れか１項に記載の方法（１０００）。
【請求項５】
前記第１の送受信機（１１０）はまた、複合パケットとしてデータを送信でき（１０５５）、
前記複合パケットには、前記システム内の一つ以上の前記送受信機を対象とする一つ以上のデータ・パケットが符号化により合成されている
ことを特徴とする請求項１乃至４の何れか１項に記載の方法（１０００）。
【請求項６】
メッセージが前記システム内のどの送受信機を対象とするかを復号が示すように、複合メッセージが符号化されることを特徴とする請求項５に記載の方法（１０００，１０５５）。
【請求項７】
前記符号化はまた、複合パケットに含まれる個々のパケットに重み付け係数を適用することを含むことを特徴とする請求項６に記載の方法（１０００，１０５５）。
【請求項８】
前記第１の送受信機（１００）は、受信した品質値に基づいてデータ・パケットの前記伝送を適応的にスケジューリングすることによって自身のデータ伝送を修正する（１０６０）ことを特徴とする請求項１乃至７の何れか１項に記載の方法（１０００）。
【請求項９】
前記第１の送受信機（１１０）は、前記システムにおける性能測定値を最適化するために、一緒に符号化される前記システム内の個々の送受信機を対象とするデータ・パケットを適応的に選択することによって自身のデータ伝送を修正することを特徴とする請求項６乃至８の何れか１項に記載の方法（１０００）。
【請求項１０】
前記第１の送受信機（１１０）はまた、前記システムにおける性能測定値を最適化するために、前記重み付け係数を選択することによって自身のデータ伝送を修正することを特徴とする請求項７乃至９の何れか１項に記載の方法（１０００）。
【請求項１１】
前記システム内の前記第２の送受信機（１２０）と前記第３の送受信機（１３０）との少なくとも何れかは、前記復号を実行するために、以前に受信された第２のメッセージを用いることによって、受信された第１のメッセージを復号し（１０６５）、
前記第１のメッセージと前記第２のメッセージとの少なくとも一つは複合メッセージである
ことを特徴とする請求項６乃至１０の何れか１項に記載の方法（１０００）。
【請求項１２】
複数の送受信機（１１０，１２０，１３０）が存在し得る通信システム（１００，２００，４００）であって、前記システム内の複数の送受信機にデータ・パケットを送信できる送信機（１１０）を有する通信システム（１００，２００，４００）で用いる送受信機（１２０，８１０）であって、
前記受信されたデータ・パケットの表示値を記憶して、前記送受信機により受信された一つ以上のデータ・パケット（３００）の受信品質を代表する品質値を前記送信機に送信する手段（６１０，６２０）と、
自身及び前記システム内の少なくとも一つの他の相手（１３０）の両方を対象とするデータ・パケットをリッスンする手段と
を備え、
前記送受信機（１２０，８１０）により送信される前記品質値は一つ以上の前記データ・パケットの前記受信品質を代表し、
前記受信品質値はこのような取り得る複数の値の一つとして表現される
ことを特徴とする送受信機（１２０，８１０）。
【請求項１３】
受信されたデータ・パケットのそれぞれについて一つの品質値を送信する請求項１２に記載の送受信機（１２０，８１０）。
【請求項１４】
前記送受信機により送信される前記品質値は、少なくとも一部が前記送受信機を対象とする一つ以上のデータ・パケットの前記受信品質を代表することを特徴とする請求項１２又は１３に記載の送受信機（１２０，８１０）。
【請求項１５】
受信されたメッセージについて前記送受信機におけるチャネル品質に関する値も前記送信機（１１０）に送信する請求項１２乃至１４の何れか１項に記載の送受信機（８１０）。
【請求項１６】
メッセージが前記システム内のどの送受信機を対象とするかを復号が示すように、複合パケットとしてデータを受信及び復号することもでき、
前記複合パケットには、前記システム内の一つ以上の前記送受信機を対象とする一つ以上のデータ・パケットが符号化により合成されている
ことを特徴とする請求項１２乃至１５の何れか１項に記載の送受信機（１２０，８１０）。
【請求項１７】
前記復号を実行するために、以前に受信された第２のメッセージを用いることによって、受信された第１のメッセージを復号でき、
前記第１のメッセージと前記第２のメッセージとの少なくとも一つは複合メッセージである
ことを特徴とする請求項１６に記載の送受信機（１２０，８１０）。
【請求項１８】
複数の受信側送受信機（１２０，１３０）が存在し得る通信システム（１００，２００，４００）で用いる送受信機（１１０，９１０）であって、
前記送受信機（１１０）は、前記システム内の少なくとも第２の受信側送受信機（１２０）及び第３の受信側送受信機（１３０）にデータ・パケットを送信でき、
前記送受信機（１２０）は、前記受信側送受信機により受信された一つ以上のデータ・パケット（３００）の受信品質を代表する品質値を、前記受信側送受信機（１２０，１３０）の少なくとも一つから受信でき、
前記送受信機（１１０）は、自身のデータ伝送を修正する（１０１５）ために前記品質値を用いることができ、
前記受信品質値はこのような取り得る複数の値の一つとして表現され（１０３０）、
前記送受信機はまた、複合パケットとしてデータを送信でき、
前記複合パケットには、前記システム内の一つ以上の前記送受信機を対象とする一つ以上のデータ・パケットが符号化により合成されている
ことを特徴とする送受信機（１１０，９１０）。
【請求項１９】
メッセージが前記システム内のどの送受信機又は送受信機群を対象とするかを復号が示すように、複合メッセージを復号できる請求項１８に記載の送受信機（１１０，９１０）。
【請求項２０】
前記符号化はまた、複合パケットに含まれる個々のパケットに重み付け係数を適用することを含むことを特徴とする請求項１９に記載の送受信機（１１０，９１０）。
【請求項２１】
受信した品質値に基づいてデータ・パケットの前記伝送を適応的にスケジューリングすることによって自身のデータ伝送を修正できる請求項１８乃至２０の何れか１項に記載の送受信機（１１０，９１０）。
【請求項２２】
前記システムにおける性能測定値を最適化するために、一緒に符号化される前記システム内の個々の送受信機を対象とするデータ・パケットを適応的に選択することによって自身のデータ伝送を修正できる請求項１８乃至２１の何れか１項に記載の送受信機（１１０，９１０）。
【請求項２３】
前記システムにおける性能測定値を最適化するために、前記重み付け係数を選択することによって自身のデータ伝送を修正できる請求項１９乃至２２の何れか１項に記載の送受信機（１１０，９１０）。
【国際調査報告】
2010521838.tif 000042
2010521838.tif 000043
2010521838.tif 000044
2010521838.tif 000045